(57)【要約】【課題】ネイルアップリケ転写部材、ネイルアップリケ転写紙及びネイルアップリケ転写方法を提供する。【解決手段】本発明は、ネイルアップリケのダイカット転写部材に関するものであって、本発明によるネイルアップリケのダイカット転写部材は、近末端、近末端の反対側に遠末端及び下面を有し、ネイルアップリケを形成する薄膜フィルムを含む。部材は、薄膜フィルムの下面に配される接着層、及び指爪または足爪への転写のために露出された接着層の第２部分を残し、薄膜フィルムの遠末端に隣接した接着層の第１部分のみを覆い、指爪または足爪へのネイルアップリケの転写のために、ユーザが把持しやすく、薄膜フィルムの遠末端に隣接した接着層に剥離可能に付着される適用タップを含む。【選択図】図１Ａ
2015217300.tif 000002
【特許請求の範囲】
【請求項１】
指爪または足爪へのネイルアップリケ転写部材において、
近末端、前記近末端の反対側に遠末端及び下面を有し、ネイルアップリケを形成する薄膜フィルムと、
前記薄膜フィルムの前記下面に配される接着層と、
指爪または足爪への転写のために露出された前記接着層の第２部分を残し、前記薄膜フィルムの前記遠末端に隣接した前記接着層の第１部分のみを覆い、指爪または足爪への前記ネイルアップリケの転写のために、ユーザが把持しやすく、前記薄膜フィルムの前記遠末端に隣接した前記接着層に剥離可能に付着される適用タップと、
を含むネイルアップリケ転写部材。
【請求項２】
前記適用タップの末端は、前記薄膜フィルムの前記遠末端と一致する請求項１に記載のネイルアップリケ転写部材。
【請求項３】
前記適用タップは、
前記薄膜フィルムの前記遠末端に隣接した前記接着層の前記第１部分を覆う連結部と、
前記薄膜フィルムの前記遠末端から外側に延びる延長部と、を含み、
前記延長部は、指爪または足爪へのネイルアップリケの転写のために、ユーザが把持しやすく形成したことを特徴とする請求項１に記載のネイルアップリケ転写部材。
【請求項４】
前記適用タップは、前記ネイルアップリケの転写中に、前記タップを曲げるために、少なくとも１つの屈曲ラインを有することを特徴とする請求項１に記載のネイルアップリケ転写部材。
【請求項５】
前記屈曲ラインは、前記接着層の反対側にある前記タップの前記下面に形成されたしわを含み、
前記しわは、前記薄膜フィルムの前記近末端から前記遠末端までの進行方向に沿って延びることを特徴とする請求項４に記載のネイルアップリケ転写部材。
【請求項６】
前記適用タップは、
胴体部と、
前記胴体部から外側に延びたネック部と、
前記胴体部の反対側の前記ネック部から外側に延びたヘッド部と、を含み、
前記ネック部は、前記胴体部から前記ヘッド部まで外側に延びる狭いバンドを含み、
前記ヘッド部は、ユーザの把持のために、前記バンドよりも広い形状を有していることを特徴とする請求項１に記載のネイルアップリケ転写部材。
【請求項７】
前記適用タップは、
前記連結部を形成する胴体部と、
前記延長部を共に形成するネック部とヘッド部と、を含み、
前記ネック部は、前記胴体部から前記ヘッド部まで外側に延びる狭いバンドを含み、
前記ヘッド部は、ユーザの把持のために、前記バンドよりも広い形状を有していることを特徴とする請求項３に記載のネイルアップリケ転写部材。
【請求項８】
ネイルアップリケ転写紙において、
剥離可能な支持面を形成する上面及び少なくとも１つの切り取り部をさらに有する基板であって、前記切り取り部は、前記基板から少なくとも部分的に切り取られる基板と、
前記基板の上面に剥離可能に支持されるネイルアップリケを形成する薄膜フィルムと、
前記ネイルアップリケは、前記基板の前記上面に対向する下面、遠末端、及び前記遠末端の反対側の近末端と、を含み、
前記遠末端は、前記基板の前記切り取り部に重畳され、
接着層は、前記ネイルアップリケの下面に配され、
前記接着層の第１部分は、前記遠末端で前記基板の前記切り取り部と前記ネイルアップリケの前記下面との間に配され、
前記接着層の第２部分は、前記切り取り部の外側の前記近末端で前記基板の前記上面と前記ネイルアップリケの前記下面との間に配されることを特徴とするネイルアップリケ転写紙。
【請求項９】
前記近末端が、前記基板の中心から前記基板の外側に向かって配列されることを特徴とする請求項８に記載のネイルアップリケ転写紙。
【請求項１０】
前記近末端が、前記基板の外側から前記基板の中心に向かって配列されることを特徴とする請求項８に記載のネイルアップリケ転写紙。
【請求項１１】
前記ネイルアップリケの前記遠末端は、前記基板の前記切り取り部の連結部に重畳され、
前記基板の前記切り取り部の延長部は、前記ネイルアップリケの前記遠末端から外側に延び、
前記接着層の前記第１部分は、前記遠末端で前記基板の前記切り取り部の前記連結部と前記ネイルアップリケの前記下面との間に配されることを特徴とする請求項８に記載のネイルアップリケ転写紙。
【請求項１２】
前記基板の前記切り取り部は、前記ネイルアップリケを指爪または足爪に転写する部材を形成するために、前記基板から分離可能であり、
前記部材は、
前記基板から分離された前記切り取り部によって形成される適用タップと、
前記切り取り部に支持され、前記切り取り部と共に前記基板から除去される前記ネイルアップリケと、
前記接着層の前記第２部分は、前記基板から前記ネイルアップリケを除去することで露出される前記接着層と、
を含む請求項８に記載のネイルアップリケ転写紙。
【請求項１３】
前記基板の前記切り取り部は、前記切り取り部の周辺に沿って部分的に延びるダイカットと定義される請求項８に記載のネイルアップリケ転写紙。
【請求項１４】
前記基板は、前記基板から前記切り取り部を除去する前に、前記基板の残りの部分に前記切り取り部を固定するために、前記切り取り部の外側の前記基板の前記残りの部分に前記切り取り部を連結する少なくとも１つのホールディングタイを含むことを特徴とする請求項８に記載のネイルアップリケ転写紙。
【請求項１５】
前記切り取り部は、前記基板から前記切り取り部の除去後に、前記切り取り部を曲げるための少なくとも１つの屈曲ラインを含むことを特徴とする請求項８に記載のネイルアップリケ転写紙。
【請求項１６】
前記屈曲ラインは、前記接着層の反対側にある前記切り取り部の前記下面に形成されたしわを含み、前記しわは、前記薄膜フィルムの前記近末端から前記遠末端まで延びたことを特徴とする請求項１５に記載のネイルアップリケ転写紙。
【請求項１７】
前記切り取り部は、
胴体部と、
前記胴体部から外側に延びるネック部と、
前記胴体部の反対側の前記ネック部から外側に延びるヘッド部と、を含み、
前記ネック部は、前記胴体部から前記ヘッド部まで外側に延びる狭いバンドを含み、
前記ヘッド部は、ユーザの把持のために、前記バンドよりも広い形状を有することを特徴とする請求項８に記載のネイルアップリケ転写紙。
【請求項１８】
前記ネイルアップリケ転写紙は、前記基板から部分的に切り取られる多数の前記切り取り部を含み、それぞれの前記切り取り部は、前記ネイルアップリケの前記遠末端を下側で支持することを特徴とする請求項８に記載のネイルアップリケ転写紙。
【請求項１９】
前記基板は、前記ネイルアップリケの前記近末端の少なくとも一部に整列された周辺部エッジを含むことを特徴とする請求項８に記載のネイルアップリケ転写紙。
【請求項２０】
前記切り取り部は、前記基板の周辺部エッジに配されたことを特徴とする請求項８に記載のネイルアップリケ転写紙。
【請求項２１】
前記切り取り部は、前記上面の反対側にある前記基板の前記下面から前記切り取り部に加えられる圧力によって、前記基板から分離可能であることを特徴とする請求項８に記載の転写紙。
【請求項２２】
指爪または足爪にネイルアップリケを転写する方法において、
基板に剥離可能に支持される接着層をネイルアップリケに提供する段階であって、前記基板は、前記基板から少なくとも部分的に切り取られる切り取り部を含み、前記切り取り部は、前記ネイルアップリケの遠末端を下側で剥離可能に支持するように、前記接着層を前記ネイルアップリケに提供する段階と、
前記ネイルアップリケと共に前記基板から前記ネイルアップリケの前記遠末端を支持する適用タップを形成する前記切り取り部を除去する段階であって、前記接着層の第１部分が、前記基板から前記ネイルアップリケを除去することで露出されるように除去する段階と、
前記遠末端を支持する前記適用タップを取っている間に、前記遠末端の反対側の前記ネイルアップリケの近末端を指爪または足爪のキューティクル部に整列する段階と、
前記指爪または前記足爪に前記ネイルアップリケの前記近末端を付着するために、前記指爪または前記足爪に対して前記露出された接着層を配置する段階と、
前記ネイルアップリケの前記遠末端から前記適用タップを除去する段階と、
を含む指爪または足爪にネイルアップリケを転写する方法。
【請求項２３】
前記ネイルアップリケの前記遠末端から前記適用タップを除去する段階は、前記ネイルアップリケの前記遠末端にある前記ネイルアップリケ接着層の第２部分を露出させることを特徴とする請求項２２に記載の指爪または足爪にネイルアップリケを転写する方法。
【請求項２４】
前記基板から前記切り取り部を前記除去する段階は、前記切り取り部を前記基板の残りに連結するホールディングタイを切断する段階を含む請求項２２に記載の指爪または足爪にネイルアップリケを転写する方法。
【請求項２５】
前記ネイルアップリケを前記指爪または前記足爪の曲率に合わせるために、前記適用タップを曲げる段階をさらに含む請求項２２に記載の指爪または足爪にネイルアップリケを転写する方法。
【請求項２６】
前記曲げる段階は、前記基板の前記切り取り部に形成された屈曲ラインによって可能となることを特徴とする請求項２５に記載の指爪または足爪にネイルアップリケを転写する方法。
【請求項２７】
前記屈曲ラインは、前記切り取り部の表面に形成されたしわであることを特徴とする請求項２６に記載の指爪または足爪にネイルアップリケを転写する方法。
【発明の詳細な説明】
【技術分野】
【０００１】
本発明は、ネイルアップリケ転写部材、ネイルアップリケ転写紙及びネイルアップリケ転写方法に係り、天然ネイルに指爪の美的外観を向上させるために、接着剤を用いてネイルデカールまたはアップリケを転写することに関する。さらに具体的には、ネイルデカールまたはアップリケをさらに容易かつ簡単に転写させる部材とダイカット転写紙とに関する。
【背景技術】
【０００２】
人工ネイル、ネイルデカール（ｄｅｃａｌ）及びネイルアップリケ（ａｐｐｌｉｑｕｅ）は、ネイルの外形を飾るために、長期間使われてきた。人は、自身のネイルが壊れず、所望の長さほど成長するにはあまりにも弱くて、人工ネイルを選択する。また、人工ネイルが天然ネイルよりもさらに耐久性があり、丈夫であり、表面の潤沢さを保持しやすいので、選択する場合もある。ある人は、彼らの天然ネイルの輪郭や形状に対して不満足であり、彼らのネイルの外観を美しくするために、人工ネイルを選択する。
【０００３】
ネイルの形状に薄く模してプラスチック部材で作った飾り用ネイルアクセサリーは、手を飾るものとしてよく知られている。実際に、多くの人工ネイル業者は、多様な材料、方式及びカラーなどを組み合わせてアクセサリーを提供する。例えば、従来の人工ネイルには、上面にステンシルで刷るか、エアブラシで着色した装飾デザインが度々使われた。
【０００４】
従来の人工ネイルは、人工ネイルの下面やネイルアクセサリーが付着される天然ネイルの上面に多量の液性接着剤を塗布することによって、天然ネイルに接着された。オバーレイ（ｏｖｅｒｌａｙ）は、一般的に人工ネイルの上面の全体になされる。一般的に、オバーレイは、人工ネイル上面に装飾デザインが見えるように透明または半透明である。一旦、オバーレイが固まれば、人工ネイルは、所望のとおりに形成される。
【０００５】
また、指爪または足爪にネイルデカールやアップリケを飾る技術は、よく知られている。このようなデカールやアップリケは、熱または圧力感応接着剤があるフィルムで形成されるが、このようなフィルムは、ネイルに強度と美しさを加える。指爪や足爪上に不透明または透明なグラフィックフィルムを塗布するのは、ネイルに光沢を与えるだけではなく、ネイルを支え、グラフィックや特別なカラーを持たせ、水分、乾燥時間、手入れ、汚れ、不規則なブラシストローク、屑、化学物質によって誘発される癌、ヒューム（ｆｕｍｅ）などを防ぎ、容易に除去することができるという利点がある。人工ネイルアクセサリーの出現と共に、ユーザは、天然ネイルに付着してから容易に除去し、複雑にあらかじめデザインされたネイルを有することができた。
【０００６】
但し、従来のネイルデカールまたはアップリケは、１つまたはそれ以上の転写紙に提供された多様な装飾デザインとして提供された。このような装飾デザインは、転写紙形態にステンシルで刷るか、エアブラシに着色されるか、ハンドペインティングで形成される。この際、ユーザは、転写紙でデザインを選択して天然ネイルにそのデザインを転写しなければならない。時々、多くのデザインが転写紙に密集されており、このような転写紙は、そのグループから１つのデカールの転写を難しくする。
【０００７】
特に、他のデザインから選択されたデザインを切り取って分離する場合も、難しい段階を経なければならない。具体的に、一旦選択されたデザインが転写紙から切り取られると、ユーザにデカールを有する小さな紙切片や他の運搬物質が残され、ここで、デカールは、天然ネイルに転写されるために、天然ネイル上で位置が調整されなければならない。この際、位置調整が難しくて、しばしばデカールを落とすか、所望しないネイルの位置にデカールを誤って転写する。
【０００８】
代案として、選択されたデカールの剥離可能な付着面からそのデカールを剥離する自己接着式デカールを利用するときには、圧力感応接着層が外部に呈されるので、デカールを扱いにくい。また、圧力感応接着剤に如何なる指も接触しなくて、接着剤の接着物質を調整することができず、結果的に、デカールは、天然ネイルに固定されていない状態になる。
【０００９】
従来技術として、ＵＳ特許出願公報に開示されたＮｏ．２００８／０２８３０７３（ｔｏ  Ｐａｒｋ．）は、前記のような使い方に対する問題点を緩和させようとした。Ｐａｒｋ公報は、天然ネイルにデカールを転写する場合、把持可能なハンドリングタップを提供することを開示している。しかし、タップは、デカール自体で必須的な部分であり、したがって、一旦転写されれば、デカールから分離されなければならない。デカールでタップの分離は、ネイルの所望しない外形変化をもたらしうる。
【００１０】
したがって、天然ネイルに、アップリケを如何なる方式で配置するかによって、ユーザに多様なデザインの変化を与えられるネイルデカールまたはアップリケが１つのセットとして提供されることが望ましい。また、他のデカールからそれぞれのデカールを切る段階が省略されたネイルデカール１つのセットを提供することがさらに望ましい。また、ネイル上にデカールを正確に配置させ、ネイルに転写中に扱いやすいネイルデカール１セットを提供することが望ましい。
【先行技術文献】
【特許文献】
【００１１】
【特許文献１】米国特許出願公開第２００８／０２８３０７３号明細書
【発明の概要】
【発明が解決しようとする課題】
【００１２】
本発明は、前述した従来技術の問題点を解決するためのものであって、本発明は、適用タップ（ａｐｐｌｉｃａｔｉｏｎ  ｔａｂ）を備えることによって、ネイル上の正確な位置にデカールを配置し、ネイル転写中に扱いやすいネイルアップリケ転写部材とネイルアップリケ転写紙とを提供することにある。
【課題を解決するための手段】
【００１３】
本発明は、指爪または足爪にネイルアップリケを転写する部材に関するものである。部材は、近末端（ｐｒｏｘｉｍａｌ  ｅｎｄ）と、近末端の反対側の遠末端（ｄｉｓｔａｌｅｎｄ）及び下面を有し、ネイルアップリケを形成する薄膜フィルム（ｔｈｉｎ  ｅｌｅｍｅｎｔ）を含む。また、部材は、薄膜フィルムの下面に配される接着層、そして、薄膜フィルムの遠末端に隣接した接着層に剥離可能に付着された適用タップを含む。適用タップの末端は、薄膜フィルムの遠末端と一致することができる。
【００１４】
適用タップは、薄膜フィルムの遠末端に隣接した接着層の一部のみを覆う連結部（ｃｏｎｎｅｃｔｉｏｎ  ｐｏｒｔｉｏｎ）を有し、さらに薄膜フィルムの遠末端から外側に延びる延長部（ｅｘｔｅｎｓｉｏｎ  ｐｏｒｔｉｏｎ）を含む。ここで、延長部は、指爪または足爪へのネイルアップリケの転写のために、ユーザが把持しやすくなっている。
【００１５】
望ましくは、適用タップは、ネイルアップリケの転写中にタップを曲げるために、少なくとも１本以上の屈曲ライン（ｂｅｎｄ  ｌｉｎｅ）を含む。屈曲ラインは、接着層の反対側のタップの下面にしわ状に形成される。ここで、しわは、薄膜フィルムの近末端から薄膜フィルムの遠末端まで進行する方向に延びる。
【００１６】
一方、適用タップは、連結部を形成する胴体部と、延長部を共に形成するネック部とヘッド部と、を含む。ネック部は、胴体部からヘッド部まで外側に延びる狭いバンドであり、ヘッド部は、ユーザの把持のために、バンドよりも広い形状を有する。
【００１７】
部材は、初期のネイルアップリケの転写紙の一部を成す。転写紙は、一般的に基板を含み、基板は、剥離可能な支持面を形成する上面と、基板から部分的に切り取られる少なくとも１つ以上の切り取り部と、を有する。
【００１８】
ネイルアップリケを形成する薄膜フィルムは、基板の上面に剥離可能に支持され、ここで、下面は、基板の上面と当接している。ネイルアップリケの遠末端は、基板の切り取り部上に置かれており、ここで、接着層の第１部分は、基板の切り取り部と遠末端にあるネイルアップリケの下面との間に配される。そして、接着層の第２部分は、基板の上面と切り取り部の外側の近末端のネイルアップリケの下面との間に配される。
【００１９】
一方、ネイルアップリケの遠末端は、基板の切り取り部の連結部に重畳される。ここで、切り取り部の延長部は、ネイルアップリケの遠末端から外側に延びる。この場合、接着層の第１部分は、基板の切り取り部の連結部と遠末端にあるネイルアップリケの下面との間に配される。そして、接着層の第２部分は、基板の上面と切り取り部の外側の近末端のネイルアップリケの下面との間に配される。
【００２０】
本発明の部材は、基板から基板の切り取り部を分離することで形成される。ここで、部材は、基板から分離された切り取り部によって形成された適用タップを含む。ネイルアップリケは、切り取り部と共に除去され、接着層と切り取り部とによって支持される。ここで、接着層の第２部分は、基板からネイルアップリケを除去して露出される。
【００２１】
基板の切り取り部は、切り取り部の周辺部に沿って部分的に延びるダイカットによって定義されることが望ましい。ダイカットは、少なくとも１つのホールディングタイ（ｈｏｌｄｉｎｇ  ｔｉｅ）と定義され、ホールディングタイは、基板から切り取り部を除去する前に切り取り部を基板の残りに固定するために、切り取り部を基板の残りに連結することである。
【００２２】
切り取り部は、基板から切り取り部の除去後に、切り取り部を曲げるために少なくとも１つの屈曲ラインを含むことが望ましい。屈曲ラインは、接着層の反対側の切り取り部の下面にしわ状に形成されうる。ここで、しわは、薄膜フィルムの近末端から薄膜フィルムの遠末端への進行方向に延びる。
【００２３】
望ましくは、多数の切り取り部は、基板から部分的に切られた切片であり、ここで、それぞれの切り取り部は、ネイルアップリケの遠末端を支持する。また、基板は、天然ネイルに対するネイルアップリケのサイズ、配置の選択を容易にするために、ネイルアップリケの近末端の少なくとも一部に整列された周辺部エッジを有する。
【００２４】
切り取り部は、上面の反対側の基板の下面から切り取り部に加えられる圧力で基板から分離される。
【００２５】
本発明によって指爪や足爪にネイルアップリケが転写される方法としては、基板によって支持される剥離可能な接着層を有したネイルアップリケが必要であり、ここで、基板は、アップリケの遠末端を剥離可能に支持し、基板から部分的に切り取られる切り取り部を含む。切り取り部は、ネイルアップリケと共に基板から除去され、ここで、切り取り部は、ネイルアップリケの遠末端を支持する適用タップを形成し、ここで、ネイルアップリケ接着層の第１部分は、基板からネイルアップリケを除去することで露出される。遠末端を支持する適用タップを取る間に、遠末端の反対側に位置したネイルアップリケの近末端は、指爪または足爪のキューティクル部に合わせて整列される。そして、接着層の露出された部分は、指爪または足爪にネイルアップリケの近末端を付着するために、指爪または足爪に対向配置する。一旦近末端がネイルを保護すれば、適用タップは、ネイルアップリケの遠末端から除去される。
【００２６】
一方、ネイルアップリケの遠末端から適用タップを除去すれば、ネイルアップリケの遠末端にあるネイルアップリケ接着層の第２部分が露出される。また、基板から切り取り部を除去する段階は、前記切り取り部を前記基板の残りに連結するホールディングタイを切断する段階を含む。
【００２７】
本発明は、ネイルアップリケを指爪または足爪の曲率に合わせるために、適用タップを曲げる段階をさらに含む。このような曲げる段階は、切り取り部の表面に形成されたしわ状の屈曲ラインによって可能である。
【００２８】
本発明の目的、特徴、長所は、添付した図面と以下の詳細な説明と望ましい実施形態とからさらに明確になる。しかし、図面などから発明が制限されるものではない。発明の範囲は、請求項によって表われる。
【発明の効果】
【００２９】
本発明は、ネイルデカールをより正確かつ便利に転写するためのものである。この際、本発明は、容易な製造が可能でありながらも、簡単に転写されるという長所がある。また、本発明によるネイル転写部材１つまたはそれ以上がパッケージとして消費者に提供されるので、安価になり、パッケージが簡素化される。
【図面の簡単な説明】
【００３０】
【図１Ａ】本発明によるネイルアップリケまたはデカールの転写のための部材の転写紙の正面図または平面図である。
【図１Ｂ】本発明の他の実施形態によるネイルアップリケまたはデカールの転写のための部材の転写紙の正面図または平面図である。
【図１Ｃ】本発明のさらに他の実施形態によるネイルアップリケまたはデカールの転写のための部材の転写紙の正面図または平面図である。
【図２】図１Ａに示された転写紙の背面図または底面図である。
【図３】図１Ａ及び図２に示された本発明のデカール転写部材を転写紙から除去する前に、３−３線に沿って切断した断面図である。
【図４】図２に示された転写紙から部材を除去する前の部材の背面図または底面図の拡大図である。
【図５】図２に示された転写紙から部材を除去する前のさらに他の部材の背面図または底面図の拡大図である。
【図６Ａ】図４に示された部材を転写紙から除去する前に、６−６線に沿って切断した断面図である。
【図６Ｂ】図６Ａに示された部材を転写紙から除去した後で、天然ネイルに沿って反るようにひっくり返した部材の断面図である。
【図７】本発明による部材の一定のサイズの選択された転写紙のネイルアップリケについての平面図である。
【図８Ａ】転写紙から除去されている本発明による部材の断面図である。
【図８Ｂ】転写紙からさらに除去されている本発明による部材の断面図である。
【図８Ｃ】転写紙から全体が除去された本発明による部材の断面図である。
【図９Ａ】本発明による部材を使う方法の第１段階を示す平面図である。
【図９Ｂ】部材を使う方法の次の段階を示す平面図である。
【図９Ｃ】部材を使う方法の最後の段階を示す平面図である。
【図１０】転写紙から部材を除去する前に、本発明による部材の他の実施形態の背面図または底面図の拡大図である。
【図１１】転写紙から部材を除去する前に、本発明による部材のさらに他の実施形態の背面図または底面図の拡大図である。
【図１２】転写紙から部材を除去する前の本発明による部材のさらに他の実施形態の背面図または底面図の拡大図である。
【図１３】転写紙から部材を除去する前の本発明によるさらに他の実施形態の背面図または底面図の拡大図である。
【図１４】転写紙から部材を除去する前に、図１０で１４−１４線に沿って切断した部材の断面図である。
【図１５】転写紙から部材を除去する前に、図１２で１５−１５線に沿って切断した断面図である。
【図１６Ａ】本発明による図１０ないし図１５に示された部材を使う方法の第１段階を示す断面図である。
【図１６Ｂ】図１０ないし図１５に示された部材を使う方法の次の段階を示す断面図である。
【図１６Ｃ】図１０ないし図１５に示された部材を使う方法の最後の段階を示す断面図である。
【図１７Ａ】本発明による図１０ないし図１５に示された部材を使う他の方法の第１段階を示す断面図である。
【図１７Ｂ】図１０ないし図１５に示された部材を使う他の方法の次の段階を示す断面図である。
【図１７Ｃ】図１０ないし図１５に示された部材を使う他の方法の最後の段階を示す断面図である。
【発明を実施するための形態】
【００３１】
図１Ａないし図１Ｃ及び図２を参照して、ネイルアップリケ（ｎａｉｌ  ａｐｐｌｉｑｕｅｓ）またはデカールの転写についての本発明の一実施形態によれば、転写紙（ｓｈｅｅｔ）１０は、多数の部材（ｄｅｖｉｃｅ）１２を有している。以下、アップリケとデカールは、互いに代替可能な用語である。
【００３２】
転写紙１０は、全体基板（ｓｕｂｓｔｒａｔｅ）１１で基板の上面に一時的に付着する互いに異なるサイズの多数のデカール１６を背面から分離可能に形成することが望ましい。基板１１は、シリコンからなり、離型紙でコーティングされることが望ましい。
【００３３】
望ましくは、デカール１６が機能的パターンだけではなく、審美的にも満足を与えるように基板１１上に配列されなければならない。特に、デカール１６は、サイズ順に基板１１の周辺に沿って平行に配されるように配列されることが望ましい。デカール１６は、基板１１の周辺に沿って両側方向に配置することが望ましい。但し、ただ１つの側面上に複数のデカール１６を配列することが可能である。如何なる場合でも、各デカール１６が基板１１に配列されて、それぞれのデザイン１４とそれぞれのデカールのサイズを容易に見られる。
【００３４】
各デカール１６は、ネイルに容易に合致する形状の薄膜フィルム（ｔｈｉｎ  ｆｉｌｍｅｌｅｍｅｎｔ）を有し、ネイルから剥がれ落ちる性質を有することによって、合致しない形状に戻るための最小限の性質を有する。また、各デカール１６は、それぞれ天然指爪または足爪のサイズと形状とに非常に一致するサイズと形状とを有する。デカール１６は、互いに異なるユーザのネイルだけではなく、特定のユーザの天然ネイルの互いに異なるサイズに対応する多様なサイズを有している。
【００３５】
デカール１６は、グラフィックデザインやマニキュアのように均一な色を簡単に提供することができる。ほとんどの色が可能であり、色は、定型化されているか、変わらず、従来のマニキュアのような高光沢仕上げでなされる。
【００３６】
デカール１６は、各デカールの近末端１８を基板１１の中心から外側に向かって配列することが望ましい。しかし、他の実施形態では、後述するように、各ネイルの近末端１８が基板１１の周辺部エッジ（ｐｅｒｉｐｈｅｒａｌ  ｅｄｇｅ）１７から遠ざかる方向であるときには、このような配列は逆方向になりうる。
【００３７】
すなわち、近末端が基板の中心から基板の外側に向かって配列されることが望ましいが（図１Ａ、図１Ｂ、図２、図４及び図５参照）、近末端が基板の外側から基板の中心に向かって配列されうる（図１Ｃ、図１２ないし図１３参照）。
【００３８】
図１Ａ、図１Ｂ、及び図２ないし図９に示された実施形態では、基板１１の周辺部エッジ１７は、少なくとも各ネイルアップリケ１６の各近末端１８の一部に合わせて整列されている。基板１１を固定することによって、“例示的な（ｓａｍｐｌｅ）”多様なデカール１６と、選択されたデカールのサイズと外形とを判断するために、一時的にネイルに付着される１つ以上のデカール１６とがユーザのネイルに提供される。
【００３９】
デカール１６は、図１Ａの左側に示すように、“フルカバー（ｆｕｌｌ−ｃｏｖｅｒ）”デカール１６ａであり得る。少なくとも近末端１８は、天然指爪または足爪のキューティクル部の曲率に該当する周辺フレーム（ｐｅｒｉｐｈｅｒａｌ  ｃｏｎｔｏｕｒ）を有している。そのような“フルカバー”デカール１６ａは、最初から平面上の楕円形の凸状に反った近末端１８と近末端の反対側に凸状に反った遠末端２０とを有することが望ましい。ここで、近末端と遠末端は、天然指爪または足爪のキューティクル部の曲率に該当する周辺フレームを有している。したがって、デカール１６ａの両末端は、キューティクル部に沿って調整される。結果的に、各デカールごとにデザインの２つの変化が可能である。
【００４０】
また、“フルカバー”デカール１６ａは、遠末端と近末端との間の距離ほどの長さを有するが、デカール１６ａが付着される指爪または足爪の長さに該当する。下記で詳しく検討するように、デカール１６の遠末端と近末端との周辺フレームは、天然ネイルにデカール１６を付着するに際して、ガイドの役割を果たす。
【００４１】
例えば、図１に示された１つの“フルカバー”デカール１６ａの遠末端、近末端のサイズ、形状、曲率は、平均ユーザ人差し指のキューティクル部の曲率と形状、サイズにそれぞれ対応する。さらに他の“フルカバー”デカールの遠末端、近末端のサイズ、形状、曲率は、平均ユーザ親指のキューティクル部の曲率と形状、サイズにそれぞれ対応する。
【００４２】
その他にも、各“フルカバー”デカール１６ａは、長手端部の反対側に異なる曲率を有している。例えば、デカール１６ａの遠末端は、平均ユーザ人差し指のキューティクル部の曲率に対応する曲率を有している。一方、近末端の曲率は、平均ユーザ親指のキューティクル部の曲率に該当する。
【００４３】
さらに他の実施形態で、図１Ａの右側に示されたように、近末端が凹状の周辺フレームを有するとき、デカール１６は、“尖った（ｔｉｐ）”形状１６ｂを有しうる。そのような“尖った”デカール１６ｂは、凹状に反った近末端１８と近末端の反対側の凹状に反った遠末端２０とによって初期には平面状を有することが望ましい。ここで、近末端１８は、所望の外形を表現するために、天然ネイルの長さに沿って所望の位置に転写される。
【００４４】
図１Ａに示されているように、デカール１６の集合からなるセットは、如何なる場合でも、同じ基板上にある“フルカバー”形状と“尖った”形状いずれも提供されることが望ましい。また、本発明の１つまたはそれ以上の転写紙１０は、ユーザにパッケージとして典型的に供給されうる。ここで、デカール１６は、一般的なユーザのあらゆる指に転写されるサイズと曲率とを有している。
【００４５】
図３に示されるように、各デカール１６は、一時的に基板１１の上面２８に付着される。この点で、デカール１６と関連分野でよく知られた典型的な薄い板構造の基板１１の間には接着剤が使われる。
【００４６】
前述した実施形態で、接着剤は、圧力感応式（ｐｒｅｓｓｕｒｅ−ｓｅｎｓｉｔｉｖｅ）または自着剤（ｓｅｌｆ−ａｄｈｅｓｉｖｅ）であるが、基板１１から剥離することが可能である。このような方式でデカールが天然ネイルに転写されるために、基板１１から除去される時、接着剤は、デカール１６の下面に残る。接着剤は、ネイルにデカール１６を確実に固定させる力があり、それだけではなく、必要な場合には、ネイルからデカールを剥離することもできる。接着剤は、ネイルに損傷を与えず、ほとんどの油、溶媒、弱酸性、アルカリ性、塩に抵抗性を有している。
【００４７】
しかし、本発明は、基本的な薄い板構造だけではなく、ネイル飾り業界で知られた他の形式、他の薄い板構造形式からなる基板１１と共にデカール１６が提供されうる。例えば、乾転写接着剤が活用されうるが、ここで、デカール１６は、業界で知られた乾転写技術を用いて天然指爪、足爪に転写される。
【００４８】
追加的に、デカール１６は、関連分野でよく知られた方式で形成されうる。したがって、デカール１６は、スリーエムコーポレーション（３Ｍ  Ｃｏｒｐｏｒａｔｉｏｎ）から生産されたスリーエムスコッチカルグラフィックフィルム（３ＭＴＭ  ＳｃｏｔｃｈｃａｌＴＭ  Ｇｒａｐｈｉｃ  ｆｉｌｍｓ）のように関連分野でよく知られたグラフィックフィルムで形成されうる。また、例えば、グラフィックフィルム、自着式（ｓｅｌｆ−ａｄｈｅｓｉｖｅ）フィルム、ビニル、ポリエステル（ｐｏｌｙｅｓｔｅｒ）、マイラー（ｍｙｌａｒ）、ゴムまたは他のフィルムなどが使われる。
【００４９】
望ましくは、デカール１６は、非液状熱硬化圧力感応自着式フィルム（ｎｏｎ−ｌｉｑｕｉｄ  ｔｈｅｒｍａｌｌｙ  ｃｕｒａｂｌｅ  ｐｒｅｓｓｕｒｅ  ｓｅｎｓｉｔｉｖｅｓｅｌｆ−ａｄｈｅｓｉｖｅ  ｆｉｌｍ）で形成されうる。また、温度感応（ｔｈｅｒｍａｌ  ｓｅｎｓｉｔｉｖｅ）グラフィックフィルムが含まれても良い。この際、本発明を実施するに当って、適したグラフィックフィルムには、例えば、ビニルフィルム、キャストフィルム（ｃａｓｔ  ｆｉｌｍ）、２ｍｍフィルム、ハイパフォーマンスフィルム（ｈｉｇｈ−ｐｅｒｆｏｒｍａｎｃｅ  ｆｉｌｍ）、ロングタームフィルム（ｌｏｎｇ−ｔｅｒｍｆｉｌｍ）、プレミアムフィルム（ｐｒｅｍｉｕｍ  ｆｉｌｍ）のような自着式薄膜フィルム（ｓｅｌｆ−ａｄｈｅｓｉｖｅ  ｔｈｉｎ  ｆｉｌｍ）などがある。ここで、薄膜フィルム（ｔｈｉｎ  ｆｉｌｍ）には、約２ｍｍまたはそれ以下のビニルキャスティンググラフィックフィルム（ｖｉｎｙｌ  ｃａｓｔｉｎｇ  ｇｒａｐｈｉｃ  ｆｉｌｍ）が含まれうる。一方、グラフィックラミネート（ｌａｍｉｎａｔｅ）には、２ｍｍまたはそれ以下のビニルキャスティンググラフィックフィルム層に積層された２ｍｍまたはそれ以下のグラフィックフィルムが含まれうる。この際、フィルムまたは基板１１は、視覚的効果を発揮することができるが、例えば、多様な明暗または透明度、背景パターン、屈折性、蛍光、真珠光沢、夜光、透明、無光、光沢、ホログラフィック、虹色、きらめきのような装飾的要素の多様な視覚的性質などが該当する。
【００５０】
一方、基板１１またはデカール１６は、ビニルフィルムで形成されうる。ここで、ビニルフィルムには、関連分野で知られたキャスティング（ｃａｓｔｉｎｇ）方式で製造されるソリッド（ｓｏｌｉｄ）またはフレキシブル（ｆｌｅｘｉｂｌｅ）フィルムなどが含まれうる。望ましいビニルキャスティングフィルム（ｖｉｎｙｌ  ｃａｓｔｉｎｇ  ｆｉｌｍ）は、グラフィック分野でよく知られている。ここで、望ましいビニルフィルムは、ポリ塩化ビニル（ＰＶＣ）重合体、可撓性（ｆｌｅｘｉｂｉｌｉｔｙ）を調節することができる高分子または単位体可塑剤（ｐｏｌｙｍｅｒｉｃ  ｏｒ  ｍｏｎｏｍｅｒｉｃ  ｐｌａｓｔｉｃｉｚｅｒ）、所望のカラーを作り出すことができる顔料（ｐｉｇｍｅｎｔ）、紫外線に対する抵抗力を改善しうる紫外線吸収剤（ＵＶ  ａｂｓｏｒｂｅｒ）、熱安定化剤（ｈｅａｔ  ｓｔａｂｉｌｉｚｅｒ）、フィラー（ｆｉｌｅｒ）及び加工補助剤（ｐｒｏｃｅｓｓｉｎｇ  ａｉｄ）で構成することができる。一方、キャストフィルムは、寸法安定性、約２ｍｍまたはそれ以下の厚さ、整合性（ｃｏｎｆｏｒｍａｂｉｌｉｔｙ）、耐久性及び着色仕上げ（ｐａｉｎｔ−ｌｉｋｅ  ｆｉｎｉｓｈ）のような付加的な長所がある。
【００５１】
一方、紙のような基板１１には、接着層３０を形成するために接着剤が塗布されうる。部分的に硬化されたネイル光沢物質を含有する均一なネイル光沢層は、デカール１６を形成するために如何なる形状でも接着層上に形成されうる。
【００５２】
さらに他の望ましい実施形態として、基板１１には、接着層３０を形成するために接着剤が塗布されうる。そして、部分的に硬化されたネイル光沢物質を含有する均一なネイル光沢層は、ネイル光沢フィルムを形成するために、天然ネイルの一般的な形状内で接着層上に形成されうる。この場合、接着層３０は、基板１１に付着されるが、デカール１６からは剥離される。
【００５３】
図３に図示されていないが、接着層の第２部分３０ｂが、ネイル光沢層の反対面に形成されて、基板１１の対向側に接着面を形成しうる。したがって、ネイル光沢フィルム１６が基板１１から除去されるとき、接着層の第１部分３０ａから剥離され、この際、ネイル光沢フィルム１６は、デカールの反対側に接着面を有する。このような方式で形成されたネイルデカール１６またはアップリケは、ネイル上に配されて圧縮されることによって、ねっとりとネイルに付着される。
【００５４】
また、デカール１６は、従来の方式によって印刷フィルムで形成されうる。例えば、所望のデザインをよく表現することができる印刷方法として、シルクスクリーン（ｓｉｌｋｓｃｒｅｅｎ）、フレキソグラフィックプリンティング（ｆｌｅｘｏｇｒａｐｈｉｃ  ｐｒｉｎｔｉｎｇ）、グラビアプリンティング（ｇｒａｖｕｒｅ  ｐｒｉｎｔｉｎｇ）、デジタルプリンティング（ｄｉｇｉｔａｌ  ｐｒｉｎｔｉｎｇ）、デジタルフレキソ（Ｄｉｇｉｔａｌ  Ｆｌｅｘｏ）、オフセットプリンティング（ｏｆｆｓｅｔ  ｐｒｉｎｔｉｎｇ）、ホットスタンピング（ｈｏｔ  ｓｔａｍｐｉｎｇ）があるが、これに限定されるものではない。それ以外にも、装飾デザインは、１つの適用タップから分離された切片が合わせられてなされうる。
【００５５】
一方、印刷されたグラフィック層は、染料または顔料が含有された層からなりうる。ここで、染料または顔料が含有された層は、ビニルキャスティングフィルム基板のような薄膜フィルム基板に熱処理または圧力処理によって付着されうる。この際、グラフィック層は、グラフィックラミネートに可視性を付与する最初の層である。一般的に、グラフィック層には、染料または顔料物質が含まれるが、このような物質は、ビニルフィルムへの熱転写のような印刷過程でグラフィックデザインを形成する。この際、染料または顔料が含有された層は、複数の染料または顔料が含有された層が連続して配されて形成されうる。
【００５６】
追加的に、基板１１の背面３２または底面部の孤立した観点を示す図４ないし図５を参照して、ダイカット２２は、基板１１からなり、基板と共に一体に形成される“適用タップ”であるとする基板の切り取り部２４の輪郭を表わす。ダイカット２２は、基板１１物質のない部分であり、適用タップ２４の周辺に狭いバンド（ｎａｒｒｏｗ  ｂａｎｄ）を形成する。下記でさらに詳しく説明するが、デカール適用タップ２４は、天然ネイルにデカール１６を転写する部材１２を形成する。
【００５７】
ダイカット２２を切断するカッティングダイ（ｃｕｔｔｉｎｇ  ｄｉｅ）は、切り取り部２４を切り取ることによって、関連分野でよく知られたカットアウト（ｃｕｔ−ｏｕｔ）２２の周辺部に沿ってホールディングタイ２６を形成するための隙間を有しうる。ホールディングタイ２６は、基板の狭くて弱い細い切片であって、カットアウトタップ２４を基板１１の残りに連結する。この際、少なくとも２つのホールディングタイ２６が、それぞれの切られた適用タップ２４に提供されることが望ましい。このホールディングタイ２６は、適用タップの除去前には容易には剥がれないように、タップを十分に固定せねばならないので、少なくとも１０００分の１インチの幅になると望ましい。このホールディングタイ２６は、タップ（ｔａｂ）１２の除去に先立って、基板にタップ１２を固定するための固定手段の１つの例示であると言える。下記で詳しく説明するが、基板の背面３２に指で力を印加することによって、基板から除去される。
【００５８】
製造工程中に、ダイカットナイフが適用タップ２４を表わすために、基板１１を貫通し、デカール層１６を損傷させないように、少なくとも接着層３０までのみ部分的に延びる。結果的に、ダイカット２２は、基板１１を通過して延びるが、図３の断面図から分かるように、基板から完全に除去されないようにデカール１６までは延びない。このような除去される部分は、適用タップ２４から分離され、接着層３０に触れないながらデカール１６を手で把持可能にする。また、適用タップ２４は、基板１１からデカール１６を除去するためのものである。下記で説明するが、また、適用タップ２４は、デカールをネイルに転写するときも、デカールの取扱いを容易にする。
【００５９】
タップ２４は、多様な形状に形成される。例えば、最も簡単には、図４に示されたように、円や楕円２４ａで形成されうる。デカール１６によって覆われない“延長部”である第１部分（ａ  ｆｉｒｓｔ  ｐｏｒｔｉｏｎ）４０は、円または楕円２４ｂであることが適切である。延長部４０は、デカール１６の遠末端２０からタップ２４までユーザが把持可能なように外側に延びる。この際、円または楕円２４ａの反対側には、デカール１６と接着層３０とによって覆われている“連結部”である第２部分（ａ  ｓｅｃｏｎｄｐｏｒｔｉｏｎ）４２がある。下記で詳しく説明するが、タップ２４が基板から除去されるとき、デカール１６は、連結部４２に一時的に付着されて、連結部は、転写中であるデカールを支持する。
【００６０】
デカール１６を支持するタップ２４ａの連結部４２は、デカール１６、接着層３０と完全に重ならないので、タップが基板１１から引っ張られるとき、デカールの接着層の第２部分３０ｂが露出されうる。具体的に、下記で詳しく説明するが、タップ２４が基板１１から除去されるとき、デカール１６は、タップに沿って除去される。デカールの近末端１８が切断されていない基板の残りの部分１１ａから剥離中に、タップの連結部４２は、デカール１６の遠末端２０に一時的に固定された状態で残っている。
【００６１】
図５は、さらに複雑な形状を有する適用タップ２４ｂを示す。ここで、適用タップ２４ｂは、デカール１６を支持するためのタップの連結部４２として役割を行う胴体部４４を含む。このような点で、胴体部４４は、下部で底を成すか、デカール１６の遠末端２０によって重なる。デカール１６の遠末端２０を離れて胴体部４４から外側に延びるものは、狭いネック部４６であり、ネック部から外側に延びるものは、丸くて平たいヘッド部４８である。デカール１６を取るのに便宜のために、ヘッド部４８は、ネック部４６よりも広い形状を有している。また、ネック部４６の狭いことは、基板１１から除去されるタップを曲げるようにするためである。
【００６２】
タップを除去する前に基板１１にタップを一時的に固定するために、タップ２４の形状と関係なく、少なくとも１つ以上、望ましくは、少なくとも２つ以上のホールディングタイ２６を形状の周辺に配置する。また、タップ２４の形状と関係なく、少なくとも１つ、望ましくは、２本以上の屈曲ライン５０をデカールの転写中にタップの曲げのためにタップに形成する。特に、１本以上の屈曲ライン５０をデカール１６の近末端１８からデカールの遠末端２０までの進行方向に延ばして、デカールが長手方向に対して側面方向に反るようにする。さらに望ましくは、タップ２４は、２本の屈曲ライン５０を含み、２本の屈曲ライン５０は、各屈曲ラインが互いに成すＶ状の端がデカール１６の近末端１８を示すように角を成し、斜めになっている。
【００６３】
図６Ａの断面図に示されるように、各屈曲ライン５０は、しわ（ｃｒｅａｓｅ）を形成するか、基板１１の底面３２のスコアライン（ｓｃｏｒｅ−ｌｉｎｅ）を成す。各しわまたはスコアラインは、断面にＶ状を有しうるが、基板を完全に貫通しない。したがって、タップは、損傷されていない状態で残る。幸いにも、Ｖ状のしわまたはスコアラインが折れる（ｃｏｌｌａｐｓｅ）ことによって、空間は提供される。これにより、タップは、デカールを天然ネイルの曲率にさらに一致させるために側面に反る。図４に示された楕円状のタップ２４ａのしわは、タップの全体で長さが延びる。一方、図５に示されたヘッドと胴体状のタップ２４ｂとにあるしわは、タップの胴体部４４でのみ長さが延びる。
【００６４】
ホールディングタイ２６は、カットアウトの周辺に沿って配置される。すなわち、少なくともデカールの一部は、最初からカットアウトタップ２４に支持され、切られていない残りの部分は、最初から基板１１ａの表面部に支持されることが重要である。
【００６５】
これは、デカールの転写に先立って、接着層３０を保護し、デカールを支持する。下記で詳しく説明するが、これは、基板から適用タップ２４を除去することによって、接着層の第２部分３０ｂを露出させる。すなわち、基板から除去されるとき、適用タップは、天然ネイルにデカールを転写する部材１２を形成するために、デカールに共に残る。
【００６６】
図７ないし図９では、図１ないし図６Ａに示された部材１２の使用について示されている。
【００６７】
望ましくは、本発明のデカール１６を転写するためには、天然ネイルの表面３６をアルコールやマニキュアなどで洗浄しなければならない。図７に示されるように、デカールは、天然ネイル３６に対応するサイズと形状とを有し、ユーザは、転写紙１０に提供された互いに異なるサイズの複数個のデカールのうちから所望のデカールを選択する。
【００６８】
図８Ａないし図８Ｃに示されるように、基板の背面３２から切られたタップ２４部分まで指で力を印加することによって、選択されたデカール１６を剥がす。タップ２４は、一時的に基板にタップを固定するホールディングタイ２６を切断するために、基板１１からさらに押される。一旦ホールディングタイ２６が切断されると、タップ２４は、基板の剥離可能な付着面から離れて接着層３０と共にデカール１６を剥離させるために、基板１１から持ち上げられる。一旦基板１１から完全に除去されると、部材１２は、ネイルデカールに鮮明に転写される。
【００６９】
図８Ｃに示されるように、部材１２は、基板、デカール１６、接着層から切断された適用タップ２４を含む。この際、適用タップ２４の連結部４２は、接着層３０の第１部分３０ａのみを覆い、天然ネイル３６への転写のための残された接着層の第２部分３０ｂは、タップで覆われない。この際、天然ネイルのキューティクル部にデカールの近末端を合わせて整列する間に、タップ２４の連結部４２は、デカール１６の遠末端２０の一部を覆うように遠末端を調整する。したがって、タップ２４は、ユーザが接着層３０に接触なしにデカール１６を扱うようにする。
【００７０】
図９Ａないし図９Ｃを参照すれば、デカール１６の近末端１８は、天然ネイル３６のキューティクル部３８の輪郭に合わせて整列され、露出されたデカールの接着層の第２部分３０ｂは、天然ネイルの上面に配される。一旦デカール１６の近末端１８が整列されれば、弱い圧力がデカールの近末端に加えられ、近末端の接着層３０の露出された第２部分３０ｂが、天然ネイルの上部表面に接触して、デカールの近末端がネイルに付着される。部材１２の長さは、少なくとも延長部４０ほどになり、デカール１６の遠末端２０から外側に延びて、天然ネイル３６の端から突出する。タップ２４は、対応するネイル上にデカールを残し、デカール１６の遠末端から簡単に剥がされる。デカール１６の次の切片は、デカール１６の突出した部分をいずれも除去して、デカールは正確にネイルに正確に付着され、ネイルを確実に保護する。
【００７１】
他の実施形態である図１Ｂ、図１Ｃ、及び図１０ないし図１１で、適用タップ６０ａ、６０ｂは、延長部なしに提供される。この際、タップ６０ａ、６０ｂの遠末端６２は、デカール１６の遠末端２０に合わせて調整される。タップの如何なる部分も、デカールの遠末端から外側に延びない。すなわち、適用タップの末端６２は、薄膜フィルムの遠末端２０と一致することができる（図１４参照）。
【００７２】
したがって、基板１１の背面３２または底面を示す図１０ないし図１１では、ダイカット２２は、基板１１からなり、基板と共に必須的に形成される基板の切り取り部６０ａ、６０ｂの輪郭を詳しく図示した。すなわち、ダイカット２２は、適用タップ６０ａ、６０ｂの周囲に基板物質のない狭いバンド形態で形成される。また、基板の背面３２上に加えられる指圧力で基板からタップが離れる（“ｐｏｐｐｉｎｇ  ｏｕｔ”）前に、ダイカット２２は、カットアウトタップ６０ａ、６０ｂを基板の残りに連結するためのホールディングタイをカットアウト２４の周辺に沿って形成する。
【００７３】
しかし、この場合に、タップの遠末端６２は、デカールの遠末端２０の形状に対応する。例えば、図１０のタップ６０ａは、デカール１６の凸状の遠末端２０に整列されたアーク状（ａｒｃ−ｓｈａｐｅｄ）の凸状の遠末端６２を有している。この場合に、デカール１６は、転写後、タップに沿って共に除去されるデカールの遠末端部分の長さを有しうる。この点で、下記で詳しく説明するように、タップの除去を可能にするためにデカール１６に穿孔６４が提供されうる。
【００７４】
基板１１からタップ６０ａとデカール１６とを除去するとき、タップの下面とデカールの上面は、天然ネイルにデカールを転写するために、ユーザの親指と人差し指とによって把持される。このような方式で、タップが基板から除去されるとき、デカール１６は、一時的にタップ６０ａに付着された状態で残っており、タップは、転写中にデカールを支持する。
【００７５】
また、基板１１からタップ６０ａとデカール１６とを除去することによって、タップの下面とデカールの上面は、デカールを天然ネイルに転写するために、ユーザの親指と人差し指とによって把持される。このような方式で、転写中、タップがデカールを支持して、基板からタップが除去されるとき、デカール１６は、タップ６０ａに一時的に付着された状態で残っている。
【００７６】
前述したように、デカール１６を支持するタップ６０ａは、デカール１６、接着層３０と完全に重ならない。したがって、デカールの接着層の第２部分３０ｂは、タップが基板１１から引っ張られるときに露出される。特に、下記で詳しく説明するが、基板からタップ６０ａが除去されるとき、デカール１６は、タップと共に除去される。デカールの近末端１８が、基板の切られていない残りの部分１１ａから剥離される一方、タップ６０ａは、デカール１６の遠末端２０に一時的に付着される。天然ネイルへの転写のために、接着層の第２部分３０ｂが露出される。
【００７７】
図１１は、図５に示されたものと類似しながら、さらに複雑な適用タップ６０ｂを示す。この際、適用タップ６０ｂは、前述したような形状と性質とを有する胴体部６６、ネック部６８、ヘッド部７０を含む。特に、狭いネック部６８は、胴体部６６から外側に延び、丸くて平たいヘッド部７０は、ネック部から外側に延びる。ヘッド部７０は、デカール１６と共にタップ６０ｂを取りやすいようにネック部６８よりも広い形状を有している。また、狭いネック部６８は、基板１１からタップが除去されるときのようにタップの曲げを可能にする。
【００７８】
しかし、この際、ヘッド部７０を含むタップ全体６０ｂは、デカールの遠末端２０を支持し、支える。したがって、デカール１６の遠末端２０は、デカールの転写後、残りから除去されるタップ部分６０ｂに対応する形状を有している。
【００７９】
図１０と図１１とに示されているこのようなタップ６０ａ、６０ｂには、デカールの転写中にタップの曲げを可能にする屈曲ライン５０がある。また、タップ６０ａ、６０ｂは、遠末端６２の対向側に近末端７２を有し、近末端７２は、タップとデカールとの曲げを可能にする凸状のＶ状をしている。Ｖ状の近末端７２は、タップとデカールとがデカールの長手方向に対して側面に容易に反るようにする。
【００８０】
今まで説明したあらゆる実施形態で、デカール１６は、基板１１上に配列され、各デカールの近末端１８は、基板の周辺に対して外側に向けている。したがって、基板からデカールを除去する前に、天然ネイルのキューティクル部に隣接するようにデカールの近末端を配置することによって、多様なデカールの使用を便利にする。
【００８１】
図１２と図１３とに示された他の実施形態で、デカール１６の方向は、基板の周辺部に対して、各デカールの近末端１８が内側に向けるようになって反対である（図１Ｃ参照）。この場合、デカール１６の遠末端２０は、基板の周辺部に対して外側に向けており、各デカールの遠末端下に適用タップ６０ｃ、６０ｄが提供される。基板の中心からタップが離れないながら、ユーザが簡便にタップ６０ｃ、６０ｄ、デカール１６を除去するためである。
【００８２】
図１２と図１３とに示された実施形態は、前記で説明した例とあらゆる面でほぼ類似している。但し、それぞれの本実施形態では、タップの遠末端に合わせて整列された各デカールの遠末端２０で、各デカールの位置にある基板１１の周辺部エッジ１７が少なくとも各タップ６０ｃ、６０ｄの遠末端６２の一部によって定まれるものは除く。
【００８３】
この場合、基板の周辺部エッジに隣接するために、ダイカット２２は、基板１１で作られる。タップ６０ｃ、６０ｄは、完全に基板と区別になり、基板では、デカール１６によってタップと基板の残りが簡単に連設される。また、基板からタップを除去する前に、カットアウトタップ６０ｃ、６０ｄを基板の残りで連結するために、カットアウト２２の規模に合わせて１つ以上の切断しやすいホールディングタイが配される。
【００８４】
各場合ごとに、切れていない基板の表面部１１ａに最初から支持される残りの部分と共にカットアウトタップ６０ａ、６０ｂ、６０ｃ、６０ｄに最初から支持されるデカールの一部は重要である。デカールの転写に先立って、接着層３０を保護するか、デカールを支持する。また、このような準備は、下記で詳しく説明するように、適用タップ６０ａ、６０ｂ、６０ｃ、６０ｄが基板から除去中に、接着層の第２部分３０ｂが露出される。すなわち、基板から除去される時、天然ネイルにデカールを転写するための部材を形成するために、適用タップは、デカールと共に残っている。
【００８５】
図１４ないし図１５に対して、前述したように、各デカール１６は、基板１１の上面２８に一時的に付着される。この点で、接着剤３０は、デカールと関連分野でよく知られた典型的な薄い板構造の基板１１の間に供給される。
【００８６】
図１４に示された実施形態で、ダイカット２２は、基板の内部で基板からなり、一方、図１５のダイカット２２は、基板の周辺部（ｉｎｔｅｒｉｏｒ  ｒｅｇｉｏｎ）に位置している。しかし、それぞれの場合、デカールを支持するタップ６０ａ、６０ｂ、６０ｃ、６０ｄは、デカール１６と接着層３０とを完全に覆うことができず、前述したように、基板１１からタップを引っ張る時、デカールの接着層の第２部分３０ｂは露出される。
【００８７】
図１０ないし図１５に示された部材１２の使用は、前記で説明したところと類似している。特に、望ましくは、転写のために選択されたデカール１６は、タップ６０ａ、６０ｂ、６０ｃ、６０ｄによって支持され、基板の背面３２から、タップ６０ａ、６０ｂ、６０ｃ、６０ｄを形成する切られた部分まで指で圧力を加えることによって、基板から選択されたデカール１６が離れ落ちる。ホールディングタイが提供されるタップ６０ａ、６０ｂ、６０ｃ、６０ｄは、一時的に基板にタップを固定させるホールディングタイを切断するために、基板１１からさらに押される。図１４に示された例で、基板の剥離可能な支持面から離れて、接着層３０と共にデカール１６を剥離するために、基板１１の内部からタップ６０ａはさらに持ち上げられる。図１５に示されたように、タップ６０ｃは、基板１１の端部から持ち上げられる。
【００８８】
如何なる場合でも、部材１２は、ネイルデカールの転写がやすく簡単である。ここで、部材は、基板から切られた適用タップ６０ａ、６０ｂ、６０ｃ、６０ｄ、デカール１６と接着層３０とを含む。また、各場合ごとに、タップ６０ａ、６０ｂ、６０ｃ、６０ｄは、天然ネイル３６への転写のためのタップによって覆われていない接着層の第２部分３０ｂを残し、接着層３０の第１部分３０ａのみを覆う。前述したように、天然ネイルのキューティクル部に合わせてデカールの近末端１８を整列する間に、遠末端を調整するために、タップ６０ａ、６０ｂ、６０ｃ、６０ｄは、デカール１６の遠末端の一部を覆う。したがって、タップは、ユーザが接着層３０に接触せずとも、デカールを扱うようにする。
【００８９】
図１６Ａないし図１６Ｃを参照すると、選択されたデカール１６が、天然ネイル３６に対応する長さを有するとき、デカール１６の近末端１８は、天然ネイル３６のキューティクル部３８の輪郭に合わせて整列され、デカールの露出された接着層の第２部分３０ｂは、天然ネイルの上面に配される。一旦デカール１６の近末端１８が整列されれば、弱い圧力がデカールの近末端に加えられ、近末端の接着層３０の露出された第２部分３０ｂは、デカールの近末端をネイルに付着させるために、天然ネイル３６の上面に接触する。この際、部材１２の長さは、デカールの残りの転写に先立って、タップ６０ａ、６０ｃが、デカール１６の遠末端２０から除去されなければならない長さを有する。これは、図１６Ｂに示されたように、タップを除去させるために、デカールの遠末端を後に曲げることで実現される。一旦タップが除去されれば、デカール１６の遠末端２０は、対応するネイルにデカールを残し、ネイルに付着されて圧縮される。デカール１６を整えるか、ネイル３６を整理して、デカール１６の如何なる突出した部分でも除去し、確実にネイルを保護し、正確に密着される。
【００９０】
他の実施形態で、図１７Ａないし図１７Ｃで示されるように、デカールは、タップだけではなく、ネイルをいずれも含む長さを有する。デカール全体は、タップとネイルに合わせて整列され、対応するネイル上に配されるデカールを残し、タップに重畳されるデカール部分と共に除去される。前述したように、タップの除去のために、タップに隣接したデカールに穿孔６４を作ることができる。
【００９１】
結果的に、本発明は、ネイルデカールをより正確かつ便利に転写するためのものである。この際、本発明は、容易な製造が可能でありながらも、簡単に転写されるという長所がある。また、本発明によるネイル転写部材１つまたはそれ以上がパッケージとして消費者に提供されるので、安価になり、パッケージが簡素化される効果がある。
【００９２】
以上、本発明を具体的な実施形態を通じて詳しく説明したが、これは、本発明を具体的に説明するためのものであって、本発明は、これに限定されず、本発明の技術的思想内で当業者によって、その変形や改良が可能であるということが明白である。本発明の単純な変形ないし変更は、いずれも本発明の領域に属するものであって、本発明の具体的な保護範囲は、添付の特許請求の範囲によって明確になる。
【産業上の利用可能性】
【００９３】
本発明は、ネイルアップリケ転写部材、ネイルアップリケ転写紙及びネイルアップリケ転写方法関連の分野に適用可能である。
【符号の説明】
【００９４】
１０：転写紙
１１：基板
１２：ネイルアップリケ転写部材
１４：デザイン
１６：デカール
１７：周辺部エッジ
１８：デカールの近末端
２０：デカールの遠末端
２２：ダイカット
２４：適用タップ（切り取り部）
２６：ホールディングタイ
２８：上面
３０：接着層
３０ａ：接着層の第１部分
３０ｂ：接着層の第２部分
３２：背面
３６：ネイル
４０：延長部
４２：連結部
４４：胴体部
４６：ネック部
４８：ヘッド部
５０：屈曲ライン
６０ａ、６０ｂ、６０ｃ、６０ｄ：適用タップ
６２：適用タップの遠末端
６４：穿孔
６６：胴体部
６８：ネック部
７０：ヘッド部
７２：適用タップの近末端
【図１Ａ】
2015217300.tif 000003
【図１Ｂ】
2015217300.tif 000004
【図１Ｃ】
2015217300.tif 000005
【図２】
2015217300.tif 000006
【図３】
2015217300.tif 000007
【図４】
2015217300.tif 000008
【図５】
2015217300.tif 000009
【図６Ａ】
2015217300.tif 000010
【図６Ｂ】
2015217300.tif 000011
【図７】
2015217300.tif 000012
【図８Ａ】
2015217300.tif 000013
【図８Ｂ】
2015217300.tif 000014
【図８Ｃ】
2015217300.tif 000015
【図９Ａ】
2015217300.tif 000016
【図９Ｂ】
2015217300.tif 000017
【図９Ｃ】
2015217300.tif 000018
【図１０】
2015217300.tif 000019
【図１１】
2015217300.tif 000020
【図１２】
2015217300.tif 000021
【図１３】
2015217300.tif 000022
【図１４】
2015217300.tif 000023
【図１５】
2015217300.tif 000024
【図１６Ａ】
2015217300.tif 000025
【図１６Ｂ】
2015217300.tif 000026
【図１６Ｃ】
2015217300.tif 000027
【図１７Ａ】
2015217300.tif 000028
【図１７Ｂ】
2015217300.tif 000029
【図１７Ｃ】
2015217300.tif 000030